Podtech/llm-jp-corpus-v4-ja_patent huggingface dataset:
(57)【要約】      （修正有）【課題】足腰の筋力の衰えの目だつ方，足腰の筋力の向上，体脂率の低下に役立つ、外出困難時に屋内において手軽に運動が出来る手すり付昇降踏台を提供する。【解決手段】踏台および手すり柱軸を有する手すり付運動用昇降踏台において、手すり柱軸の溝に高さ調整板４をさし込むことで踏台３の高さを調整するものであって、高さ調整板４の厚みが１ｃｍ、３ｃｍ、５ｃｍ、１２ｃｍのいずれかからなることを特徴とする。【選択図】図１
0003183041.tif 000002
【実用新案登録請求の範囲】
【請求項１】
踏台の高さ調整
手すり柱軸かき込，さし込形
さし込板  １ｃｍ  ３ｃｍ  ５ｃｍ  １２ｃｍの４種類
踏台は、平板，足裏刺激用，クッション付の３種類の取替式
高さ調整板にさし込形。踏台の一体形。
手すり付運動用昇降踏台である。
【考案の詳細な説明】
【技術分野】
【０１】この発明は足腰の筋力の衰えを鍛えるための手すり付昇降踏台に関するものである。
【背景技術】
【０２】従来の踏台は高さ調整。
踏台の取替
踏台の種類が課題
【先行技術文献】
【特許文献】
【０３】
【特許文献１】  特開２０１１−１６１２０８号広報
【考案の概要】
【考案が解決しようとする課題】
【０４】脚力低下の人，老人等が手すり付昇降踏台の高さ、種類を自由に取替できるようされたものである。
【発明を解決するための手段】
【０５】▲１▼手すりの軸▲Ａ▼▲Ｂ▼，▲Ｃ▼▲Ｄ▼のかき込の溝へ高さ調整用板▲１▼▲２▼▲３▼▲４▼を好みの高さに応じ左，右同じ高さになるようにさし込む。
【課題を解決するための手段】
【０５】▲２▼踏台の種類  （Ｅ）平板，（Ｆ）足裏刺激，（Ｇ）クッション付平板の好みの一点を使用する。
【発明の効果】
【０６】手すり付踏台の高さ調整を１０ｍｍ単位とし。脚力の弱い方においても脚力の向上に役立つ。
踏台の種類，平板，足裏刺激用，クッション付平板と三種類あり、
それぞれ自由に取替ができる。
【図面の簡単な説明】
【０７】図  Ａ，Ｂ，Ｃ，Ｄ      本発明の手すり板かき込斜視図である。
図  ▲１▼，            本発明の高さ調整板である。
図  Ｅ，Ｆ，Ｇ          本発明の踏台の種類である。
【考案を実施するための形態】
【０８】以下発明を実施するための形態について説明する。
手すり付昇降踏台は、高さ調整板と踏台は分離できる。踏台の種類は三種類とする。
高さ調整は１ｃｍ単位とする。
高さ調整は調整板１ｃｍ，３ｃｍ，５ｃｍ，１２ｃｍとある。好みの高さに左，右合せ、手すりの柱軸かき込み、ＡＢ，ＣＤにさし込む。
踏台は、平板，足裏刺激用，クッション付平板  三種類とする。
好みの一つを踏板上部に柱軸かき込より乗せる。
本発明は、以上のような構造である。これを使用し、脚力の衰えが目立つ方の体力向上とする。
【符号の説明】
【０９】ＡＢ，ＣＤ      手すり柱軸のかき込み
▲１▼，▲２▼，▲３▼，▲４▼    高さ調整板
Ｅ，Ｆ，Ｇ      踏台
【図１】
0003183041.tif 000003
【図２】
0003183041.tif 000004
【図３】
0003183041.tif 000005
【図４】
0003183041.tif 000006
【図５】
0003183041.tif 000007
【手続補正書】
【提出日】平成25年1月6日(2013.1.6)
【手続補正１】
【補正対象書類名】実用新案登録請求の範囲
【補正対象項目名】全文
【補正方法】変更
【補正の内容】
【実用新案登録請求の範囲】
【請求項１】
踏台および手すり柱軸を有する手すり付運動用昇降踏台において、前記手すり柱軸の溝に高さ調整板をさし込むことで踏台の高さを調整するものであって、前記高さ調整板の厚みが１ｃｍ、３ｃｍ、５ｃｍ、１２ｃｍのいずれかからなることを特徴とする手すり付運動用昇降踏台。
【手続補正２】
【補正対象書類名】明細書
【補正対象項目名】０７
【補正方法】変更
【補正の内容】
【０７】
【図１】  本発明の手すり付運動用昇降踏台正面図である。
【図２】  ▲１▼  本発明の高さ調整台かき込の斜視図である。▲２▼  本発明の高さ調整板さし込の斜視図である。
【図３】  本発明の踏台の種類の正面図である。
【図４】  本発明の高さ調整板のさし込の正面図である。
【図５】  本発明の踏台・高さ調整板の取合正面図である。
【図６】  本発明の高さ調整板の種類の正面図である。
【手続補正３】
【補正対象書類名】図面
【補正対象項目名】全図
【補正方法】変更
【補正の内容】
【図１】
0003183041.tif 000008
【図２】
0003183041.tif 000009
【図３】
0003183041.tif 000010
【図４】
0003183041.tif 000011
【図５】
0003183041.tif 000012
【図６−１】
0003183041.tif 000013
【図６−２】
0003183041.tif 000014
(57)【要約】      （修正有）【課題】洗濯槽内での洗濯物絡みを防止するゴム製ストッパーを提供する。【解決手段】プラスチック製のゴム固定板０３と１本のゴム０２とからなるゴム製ストッパーであって、ゴム固定板は、４方の角に丸みを有する長方形状で、２個所の穴を有しており、ゴムの中央部に輪０１を形成するように結び目を設け、ゴムの両端をゴム固定板の２個所の穴０４にそれぞれ通して、端部同士を結ぶことによって、ゴムをゴム固定板に取り付けることを特徴とする。【選択図】図１
0003183043.tif 000002
【実用新案登録請求の範囲】
【請求項１】
長ズボンの裾や長袖シャツ・長袖下着などの袖、あるいはタオルなどの長い布製品の端と端を図２で固定することにより洗濯物が絡まないようにする。図１の０２には、特徴として長ズボンの裾や長袖シャツ・長袖下着などの袖の任意の位置で、図２を簡単に脱着できるように指でつかめる図１の０１を設けてある。図１の０３の材質は、浮力のあるプラスティック製の成形品で長方形の形をしており、洗濯物を傷つけないように４方の角に丸みを持たせてあり、図１の０２をセットする為と装着時のバランスを保つ為に中心部に図１の０４を設けてある。
【考案の詳細な説明】
【考案の詳細な説明】
【技術分野】
【０００１】  本考案は、洗濯漕内での洗濯物絡みを防止するゴム製ストッパーである。
【背景技術】
【０００２】  現在、ネット等を利用した洗濯漕内での洗濯物絡み防止解消手段はあるものの、汚れの酷い洗濯物には不向きであり絡みの元となる長ズボン・長袖シャツ・タオル等の洗濯量が増えることによる煩雑さは否めない。このゴム製ストッパーの使用例は見当たらない。
【先行技術文献】
【特許文献】
【０００３】
【特許文献１】  特開２００５−１４４１２６号（公開特許公報）
【考案の概要】
【考案が解決しようとする課題】
【０００４】解決しようとする問題点は、長ズボンや長袖シャツ・長袖下着、あるいはタオル等の長い布製品は、洗濯中に必ず他の洗濯物と絡まってしまう点である。その為、脱水処理中に偏ってしまい振動音が発生する場合もある。【０００５】脱水終了後、洗濯物の取り出し時に絡まりを解く作業は一苦労で、洗濯をする度に不快を感じながら作業を行っているのが現状である。
【課題を解決するための手段】
【０００６】本考案は、図２を長ズボンの裾や長袖シャツ・長袖下着などの袖あるいはタオル等の長い布製品の端と端を任意の位置で時計回り・反時計回りのいずれの向きでも簡単に脱着する事で課題解決することを特徴とする。
【考案の効果】
【０００７】本考案の図２は、長ズボンの裾や長袖シャツ・長袖下着などの袖の任意の位置で時計回り・反時計回りのいずれの向きでも簡単に脱着出来る為に、洗濯時の絡み防止や脱水終了時の洗濯物取り出しが容易に出来るので一連の作業を気持ち良く終える事が出来るという利点がある。
【図面の簡単な説明】
【０００８】
【図１】  本考案の実施方法を示した平面図である。
【図２】  本考案の実施方法を示した斜視図である。
【考案を実施するための形態】
【０００９】本考案の図２は、長ズボンの裾や長袖シャツ・長袖下着などの袖の任意の位置で時計回り・反時計回りのいずれの向きでも簡単に脱着出来る為に、洗濯時の絡み防止や脱水終了時の洗濯物取り出しが容易に出来ることを実現した。
【００１０】図１の０３の材質は、浮力のあるプラスティック製の成形品で長方形の形をしており、洗濯物を傷つけないように４方の角に丸みを持たせてあり、図１の０２をセットする為と装着時のバランスを保つ為、中心部に図１の０４を設けてある。
【００１１】図１の０２には、特徴として指でつかむ図１の０１を設けてある。これは、長ズボンの裾や長袖シャツ・長袖下着などの袖の任意の位置で図２を簡単に脱着できるようにする為である。
【００１２】図１の０２は、２個所を図１の０５で結んである。これは、解けにくい結び方で万一解けても図１の０２は柔らかく図１の０３は、浮力のあるプラスティック製で水面に浮き上がって来る為、洗濯物や洗濯漕ならびに脱水漕を傷つけることもない。
【実施例】
【００１３】別紙（ａ）（ｂ）は、図２を長袖シャツの袖・長ズボンの裾に任意の位置でセットした状態のイメージ図である。
【符号の説明】
【００１４】０１  ゴム（輪）
０２  ゴム
０３  ゴム固定板
０４  穴（２個所）
０５  本結び
【図１】
0003183043.tif 000003
【図２】
0003183043.tif 000004
【手続補正書】
【提出日】平成25年2月1日(2013.2.1)
【手続補正１】
【補正対象書類名】実用新案登録請求の範囲
【補正対象項目名】全文
【補正方法】変更
【補正の内容】
【実用新案登録請求の範囲】
【請求項１】
プラスチック製のゴム固定板と１本のゴムとからなるゴム製ストッパーであって、前記ゴム固定板は、４方の角に丸みを有する長方形状で、２個所の穴を有しており、前記ゴムの中央部に輪を形成するように結び目を設け、前記ゴムの両端を前記ゴム固定板の２個所の穴にそれぞれ通して、端部同士を結ぶことによって、前記ゴムを前記ゴム固定板に取り付けることを特徴とするゴム製ストッパー。
(57)【要約】      （修正有）【課題】外障子の隙間風を防ぐため、遮断効果が高いうえ、取り付け取り外しも容易で、かつ多彩なサッシ窓に対応できるシンプルな外気遮断具を提供する。【解決手段】外障子（イ）下部のレール部分１４からの外気侵入を、耐候性と弾力性、さらに形状記憶性に優れた山型の外気遮断具２，３で左レール部６を上方から挟みこむ形で遮断する。この遮断具は、レール部分を中心とした水切り枠の高さ（深さ）や傾斜が異なる様々なサッシ窓に対応できるよう長さの異なる二辺からなり、角を基点に緩やかな山型に設定した。また、外障子から室内側の水切り枠側面の幅（一般的には３５ミリから４０ミリ）より両先端の長さを広く設定した事により圧着度が高まり、隙間なく外気を遮断する事ができる。取り外しも簡単で、遮断具の片方の端を軽くつまんで上方に引き上げるだけで外すことができる。【選択図】図３
0003183061.tif 000002
【実用新案登録請求の範囲】
【請求項１】
耐候性及び形状記憶性に優れた材質の山型外気遮断具で、外障子側からの外気侵入を上方から塞ぎ込むため、全体がバネの様に弾力性に富み、且つ、両先端は側面や底部に吸着しやすいようにおだやかに丸い形状に作られている。また、レールに当たる事なく、多彩な水切り（窓枠底部）の深さや傾斜にも対応できるよう山型で、片辺を短く設定した外気遮断具。
【考案の詳細な説明】
【技術分野】
【０００１】  本考案は主に引き違いサッシ左窓下部（レール部分）からの外気侵入と室温流出を防ぐ外気遮断具に関する。
【背景技術】
【０００２】  引き違いサッシ窓用の隙間風防止用具として、弾力性を有する細長い円柱体を障子とレール部分の隙間に挿入して外気を遮断する挿入型隙間防止用具がある。（例えば特許文献１参照）【０００３】  また、窓枠全体を覆う事のできる大きな透明シートを貼り、人の出入りができるファスナーを設けた隙間風防止シートがある。（例えば特許文献２参照）【０００４】  さらに、可動型の隙間風防止片及び貼着体からなり、使用する場所に応じて貼着体の位置を調整し、隙間防止片膨出部を隙間を塞ぐ形で当接させ、外気を遮断する隙間風防止用具もある。（例えば特許文献３参照）
【先行技術文献】
【特許文献１】登録実用新案３０９３２１２
【特許文献２】特開２００３−２１４０５５
【特許文献３】特開２０１０−０５９７４６
【考案の概要】
【考案が解決しようとする課題】
【０００５】  引き違いサッシ窓（以下サッシ窓）において、右窓（以下内障子）からの隙間風は市販の隙間テープ等でもおおかた防ぐ事ができるが、左窓（以下外障子）からの隙間風に対しては、従来の隙間風防止用具では窓の幅に合わせた切断や設置に手間取る上、窓の開閉時の取り付けや取り外しにも手間や時間がかかった。また、サッシメーカーや年式、グレード等によってレール部分の形状（幅や深さ等）も多彩なため、遮断効果が高く設置の容易な単体用具がなかった。【０００６】  本考案は左窓（外障子）の隙間風を防ぐため、これまで複数の用具あるいは面倒な作業を有していた問題を解決しようとするもので、遮断効果が高いうえ、取り付け取り外しも容易で多彩なサッシ窓に対応でき、更にシンプルな単体用具である事を目的とする。
【課題を解決するための手段】
【０００７】  本考案は上記の課題を解決するため、外障子下部のレール部分からの外気侵入を、耐候性と弾力性、さらに形状記憶性に優れた山型の外気遮断具（以下遮断具）で左レール部を上方から挟みこむ形で遮断する。この遮断具は、レール部分を中心とした水切り枠の高さ（深さ）や傾斜が異なる様々なサッシ窓に対応できるよう長さの異なる二辺からなり、角を基点に緩やかな山型に設定した。また、外障子から室内側の水切り枠側面の幅（一般的には３５ミリから４０ミリ）より両先端の長さを広く設定した事により圧着度が高まり、隙間なく外気を遮断する事ができる。取り外しも簡単で、遮断具の片方の端を軽くつまんで上方に引き上げるだけで外すことができる。
【考案の効果】
【０００８】  上述したように、本発明により今まで見過ごされてきたサッシ窓下部からの隙間風を大幅に遮断することができた。外気が入らないことで、冷暖房効率が上がり、節電や燃料等の省エネにつながるだけでなく、冬季の結露軽減にも効果があった。更に、シンプルな単体用具でありながら多彩なサッシ窓に対応でき、設置や取り外しも容易になった。
【図面の簡単な説明】
【０００９】
【図１】「遮断具を示した外観図である」
【図２】「遮断具を示した断面図である」
【図３】「水切り枠部の段差が浅い窓サッシに対処した場合の遮断具による本考案の実施形態を示した部分断面図である」
【図４】「水切り枠部の段差が深い窓サッシに対処した場合の遮断具による本考案の実施形態を示した部分断面図である」
【考案を実施するための形態】
【００１０】    以下本考案を実施するための形態を図３〜図４に基づいて説明する。
【００１１】    図においては、遮断具は短辺部１−２及び長辺部１−３で示す。
【００１２】    １３は外障子枠下部からの外気侵入路で、７は内障子枠下部からの外気侵入路を示す。
【００１３】    以下、工程を説明する。外障子枠下部を主とする外気遮断については図３に示すように両手で短辺部１−２の先端２を室内側の水切り枠側面底部５に押し付け、続いて長辺部１−３の先端３を外障子下部の側面１２にあてながら底枠９につくまで押し下げる。底枠９までの深さはサッシ窓により様々（図４を参照）だが弾力性があるため対応ができる。これだけの簡単作業で取り付けは終了する。この山型形状により、レールに当たることなく外障子枠下部のレール部分１４からの外気（１３）を遮断具３の先端部が阻止し、内障子枠下部のレール部分６を伝ってくる外気（７）を２の先端部で阻止するようにできている。
【００１４】    取り外しも簡単で、遮断具のどちらか片方の中心部１をつまみ、上方に引き上げていくだけで外す事ができる。
【符号の説明】
【００１５】１−２    遮断具の短辺部
１−３    遮断具の長辺部
７    内障子下部の外気侵入路
１３    外障子下部の外気侵入路
（イ）    外障子
（ロ）    内障子
【図１】
0003183061.tif 000003
【図２】
0003183061.tif 000004
【図３】
0003183061.tif 000005
【図４】
0003183061.tif 000006
(57)【要約】      （修正有）【課題】基材不織布からなるマスクに、弾性素材を接合した軟質の透視部材を組み合わせた簡易防塵マスクを提供する。【解決手段】簡易防塵マスク１は、口と鼻を覆う部分は基材不織布３から成り、目の部分は透視部材４から成る。弾性素材５は、目の部分の機密性を高めるため、目の横の窪みに合わせ、他の部分よりも厚みをもたせる。また、弾性素材５の鼻との接地部は、窪みと、頬骨の形に合わせたカーブを有している。【選択図】図１
0003183070.tif 000002
【実用新案登録請求の範囲】
【請求項１】
鼻および口を覆う基材不織布からなるマスクに、目を覆う軟質の透視部材を設けたことを特徴とする簡易防塵マスク。
【請求項２】
目を覆う軟質の透視部材の縁に、弾性部材を設けたことを特徴とする、請求項１に記載の簡易防塵マスク。
【考案の詳細な説明】
【技術分野】
【０００１】  本考案は、基材不織布からなるマスクに、目を覆う軟質の透視部材の縁に弾性素材を設けた簡易防塵マスクに関するものである。
【背景技術】
【０００２】  従来、防塵マスクは人体に有害な物質、例えば化学物質等が口や鼻から吸引することや、目に入ることを防ぐためのもので、口や鼻を覆う部分は特殊なフィルターや、フィルターを数枚重ねた物等からなる。また、目を覆う部分は硬質のプラスチックからなる。【０００３】  家庭では、上記のような有害な化学物質を使用する機会はなく、口や鼻や目に、ほこりが入るのを防ぐことができる程度のマスクで十分である。必要な場合には、口と鼻をマスクで覆い、目はプラスチック製のゴーグルで覆い、それらを併用していた。【０００４】  また、眼鏡をかけた人はゴーグルを装着できなかった。【０００５】  従って、家庭で日常的に利用できる、目と鼻と口を覆うことのできる簡易的な防塵マスクはなかった。【０００６】  特許文献１は、めがねマスクが開示されている。
【先行技術文献】
【特許文献】
【０００７】
【特許文献１】実用新案第３１１３９５８号広報
【考案の概要】
【考案が解決しようとする課題】
【０００８】  前記のように家庭で口や鼻や目を覆いたい作業、例えば掃除や、外出の際の花粉対策としてマスクとプラスチック製のゴーグルを併用したりしていた。しかし、持ち運ぶにはマスクとゴーグルの両方を持ち歩かなければならず、不便である。【０００９】  眼鏡をかけている人の場合、眼鏡の上から装着できるゴーグルはなく、眼鏡が汚れたり、微細な花粉やほこり等の侵入は防げない。【００１０】  特許文献１では、めがねマスクが開示されているが、目を覆う部分の縁がないため、汚れは防ぐことができるが、花粉やほこり等の侵入は防ぐことができない。
【課題を解決するための手段】
【００１１】  上記課題を解決するために、請求項１、請求項２に記載の簡易防塵マスクを提供する。
【考案の効果】
【００１２】  本考案の簡易防塵マスクは、口と鼻は基材不織布から成るマスクで覆い、目は軟質の透視部材から成る。作りは工業用や、医療用の物よりも簡易な為、安価にでき、家庭での掃除等によるほこりや、外出時の花粉等の防止に利用できる。また、汚れた場合は使い捨てができ、衛生的で利便性もある。【００１３】  目の透視部材の縁は、弾性素材から成るため、眼鏡をかけている人は、切れこみをいれ、眼鏡の蔓をはめ込み、眼鏡をかけたまま装着することもできる。【００１４】  目の透視部材の縁に弾性素材を設けることで、機密性が増し、花粉やほこり等が目に入ることをほぼ完全に防ぐことができる。更に、呼吸による曇りも防ぐことができる。【００１５】また、弾性素材を設ける為、目の部分に必然的に厚みが生じ、女性がメイクをした状態や、つけまつげをした状態でも、透視部材にまつげや肌が直接触れることがなく、メイクがくずれることなく利用できる。
【図面の簡単な説明】
【００１６】
【図１】  簡易防塵マスク裏面構造図（実施例１）
【図２】  簡易防塵マスク正面図（実施例２）
【図３】  弾性素材下部構造図
【考案を実施するための形態】
【００１７】  以下、本考案を具体化した実施形態を図面に基づき説明する。
【実施例１】
【００１８】  図１は本考案の１実施例を示した。図１、図２、図３の１から６は同様である。
図１に示される様に、本実施の形態の簡易防塵マスク１は、口と鼻を覆う部分は基材不織布３から成り、目の部分は透視部材４から成る。【００１９】  弾性素材５は、目の部分の機密性を高めるため、目の横の窪みに合わせ、他の部分よりも厚みをもたせるのが望ましい。また、弾性素材５の鼻との接地部は、図３の様に窪みと、頬骨の形に合わせたカーブを有するのが望ましい。
【実施例２】
【００２０】  機密性を高める為、図２の様に紐を用い、紐の本数を増やしても良い。【００２１】  上記実施例において、この考案の要旨を変更しない範囲で種々の設計変更を施すことができる。
【産業上の利用可能性】
【００２２】  本考案の簡易防塵マスクは使い捨てができるため、衛生的であり、持ち運びにも軽量で、家庭で簡易に利用できる。そのため、花粉症対策、清掃時のほこり防止、ヘアスプレーの吸入防止や目の保護もできる等、用途に制限なく利用ができる。また、近年花粉症患者は増加傾向にあり、ほこりによるアレルギー患者も同様に増加している。そのため需要は継続的であり、製造、運送、販売等に大きく貢献できる。
【符号の説明】
【００２３】１  簡易防塵マスク
２  紐
３  基材不織布
４  透視部材
５  弾性素材
６  縫製部
【図１】
0003183070.tif 000003
【図２】
0003183070.tif 000004
【図３】
0003183070.tif 000005
(57)【要約】      （修正有）【課題】箱からラップなどを引き出す時に、ミシン線が入ることにより、ラップなどを切りやすく、又、色々な形の器などに対応できる、鋸歯付紙を提供する。【解決手段】鋸歯２を紙の一端から他端まで取り付けた構成とし、シールやラップなどの箱の中にはめこみ、箱からラップなどを引き出す時に任意の長さのミシン目がラップ上に入るよう、箱の中の前記紙の位置を調節できるものとする。【選択図】図１
0003183040.tif 000002
【実用新案登録請求の範囲】
【請求項１】
ミシン線を入れる機械は高価なので企業は簡単に出来ない。
鋸歯を紙の端から端まで取り付け、当該紙をシールやサランラップなどの箱の中にはめこみ、箱からサランラップなどを引き出す時にミシン線が入り、切りやすく長さを調節出来る鋸歯付紙。
【考案の詳細な説明】
【技術分野】
【０００１】  本考案は鋸歯を紙の端から端まで取り付け、当該紙をシールやサランラップなどの箱の中にはめこみ、箱からサランラップなどを引き出す時に、ミシン線が入り切りやすい。又、色々な形の器などに対応出来る。すぐ汚れやすい蛇口などに貼って使い掃除を楽にする事も出来るミシン線や長さと調節出来る鋸歯付紙に関するものであります。
【背景技術】
【０００２】  ミシン線を入れる機械は高価なので企業は簡単に出来ない。
長いサランラップを小さい器に使う時もったいない。
無理に長さを調節しようとしますとからまる、それが大変。
【考案の概要】
【考案が解決しようとする課題】
【０００３】  上述の様に経済面や長さを調節出来きず大変な時に、ミシン線を入れ切れやすくし、長さを調節出来る鋸歯紙を使い解決しようとするものです。
【課題を解決するための手段】
【０００４】  本考案は鋸歯を紙の端から端まで取り付け、当該紙をシールやサランラップなどの箱の中にはめこみ、箱からサランラップなどを引き出す時にミシン線がはいり、切りやすく、長さを調節出来ますのでいろいろな場面の問題を解決します。
【考案の効果】
【０００５】  前述の様に、本考案のミシン線入り長さを調節出来る鋸歯付紙を
0003183040.tif 000003
経済面でも良い。
【図面の簡単な説明】
【０００６】
【図１】ミシン線や長さを調節出来る鋸歯を取り付けた紙の図
【図２】サランラップの箱の中に鋸歯付紙をはめこみました図
【図３】サランラップの使用でミシン線が入り切りやすくした図
【符号の説明】
【０００７】１  シールやサランラップの箱にはめこむ紙の図
２  当該紙に取り付けた長さを調節出来る鋸歯の図
３  サランラップの箱の図
４  サランラップロールの図
５  ミシン線や切り目のついたサランラップの図
【図１】
0003183040.tif 000004
【図２】
0003183040.tif 000005
【図３】
0003183040.tif 000006
【手続補正書】
【提出日】平成25年1月22日(2013.1.22)
【手続補正１】
【補正対象書類名】実用新案登録請求の範囲
【補正対象項目名】全文
【補正方法】変更
【補正の内容】
【実用新案登録請求の範囲】
【請求項１】
鋸歯を紙の端から端まで取り付け、当該紙をシールやラップなどの箱の中にはめこみ、箱からラップなどを引き出す時にミシン線が入り、切りやすく長さを調節出来る鋸歯付き紙。
【手続補正２】
【補正対象書類名】明細書
【補正対象項目名】全文
【補正方法】変更
【補正の内容】
【考案の詳細な説明】
【技術分野】
【０００１】  本考案は鋸歯を紙の端から端まで取り付け、当該紙をシールやラップなどの箱の中にはめこみ箱からラップなどを引き出す時に、ミシン線が入り、切りやすい。又色々な形の器などに対応出来ます。ミシン線や長さを調節出来る鋸歯付紙に関するものであります。
【背景技術】
【０００２】  ミシン線を入れる機械は高価なので企業は簡単に出来ない。長いラップを小さい器に使う時もったいない。無理に長さを調節しようとしますとからまる。それが大変。
【考案の概要】
【考案が解決しようとする課題】
【０００３】  上述の様に経済面や長さを調節出来ず大変な時に、ミシン線を入れ切れやすくし、長さを調節出来る鋸歯紙を使い解決しようとするものです。
【課題を解決するための手段】
【０００４】  本考案は鋸歯を紙の端から端まで取り付け、当該紙をシールやラップなどの箱の中にはめこみ、箱からラップなどを引き出す時に、ミシ線が入り切れやすく、長さを調節出来ますので、いろいろな場面の問題を解決します。
【考案の効果】
【０００５】  前述の様に本考案のミシン線入り長さを調節出来る鋸歯付紙を使う事に依り、側にあるラップをもったいなく色々な器に使う事が出来ますので経済的に良い。
【図面の簡単な説明】
【０００６】
【図１】ミシン線や長さを調節出来る鋸歯を取り付けた紙の図
【図２】ラップの箱の中に鋸歯付紙をはめこみました図
【図３】ラップの使用でミシン線が入り切れやすくした図
【符号の説明】
【０００７】  １  シールやラップの箱にはめこむ紙の図  ２  当該紙に取り付けた長さを調節出来る鋸歯の図  ３  ラップの箱の図  ４  ラップロールの図  ５  ミシン線や切れ目のついたラップの図
【手続補正３】
【補正対象書類名】図面
【補正対象項目名】全図
【補正方法】変更
【補正の内容】
【図１】
0003183040.tif 000007
【図２】
0003183040.tif 000008
【図３】
0003183040.tif 000009
(57)【要約】      （修正有）【課題】ポータブルトイレに貯水槽を付設し、かつ給水口と排水口を設けて、水洗式としたポータブルトイレを提供する。【解決手段】住む場所を新築したり、改築する場合、水洗式のポータブル式トイレ１を取り付けられるようあらかじめ、排水管と、水道管をトイレを取り付けたい希望の場所に敷設しておく。ポータブル式トイレの貯水タンク２に水道３を接続する。次に貯水タンクと該ポータブルトイレの給水口を配管し接続する。さらに、ポータブル式トイレの排水口にホース４をつけ、あらかじめ敷設してある排水管と接続する。【選択図】図１
0003183037.tif 000002
【実用新案登録請求の範囲】
【請求項１】
ポータブルトイレを水洗式にするための水道管に接続する部分と、排水管に接続する部分を設ける。
【考案の詳細な説明】
【技術分野】
【０００１】本考案は、水道と、下水道の接続部分をあらかじめ敷設しておくことで、水洗トイレをどこでも設置することができるという水洗トイレに関するものである。
【背景技術】
【０００２】従来、病んで寝付いた時ポータブルトイレを病人の近くに設置していた。
【考案の概要】
【考案が解決しようとする課題】
【０００３】ポータブルトイレは、後始末に手間がかかるし、臭いを抑えることも難しいという欠点を解決しようとするものである。
【課題を解決するための手段】
【０００４】ポータブル型トイレに、洗濯機のように水道部分と排水部分の接続箇所を設け、病人のそばに置くことで、問題点を解決している。
【考案の効果】
【０００５】病人の部屋が清潔に保て、世話する方も、病人も快適に過ごせる。
【図面の簡単な説明】
【０００６】
【図１】ポータブル式トイレに接続する為の水道部分と、排水部分。
【図２】ポータブル式トイレに水道部分と、排水部分を取り付けた様子。
【考案を実施するための形態】
【０００７】  住む場所を新築したり、改築する場合、水洗式のポータブル式トイレを取り付けられるようあらかじめ、排水管と、水道管を取り付けたい希望の場所に敷設しておく。ポータブル式トイレの貯水タンクに水道を接続する。また、ポータブル式トイレに排水口を設けホースをつけ、あらかじめ敷設してある排水管と接続する。
【実施例】
【０００８】  以下、添付図に従って一実施例を説明する。１は耐久性のプラスチック等適宜素材にて一体形成されたトイレ本体。２は貯水部分に水道管を取り付けたところで、３は排水のホース部分に排水管を接続したところ。
【符号の説明】
【０００９】１  トイレ本体２  貯水槽３  水道管につなぐ部分４  排水管につなぐホースの部分
【図１】
0003183037.tif 000003
【手続補正書】
【提出日】平成24年9月29日(2012.9.29)
【手続補正１】
【補正対象書類名】明細書
【補正対象項目名】０００９
【補正方法】変更
【補正の内容】
【０００９】１  トイレ本体
２  貯水槽
３  水道管につなぐ部分
４  配水管につなぐホースの部分
５  敷設した水道管
６  敷設した下水道管
【手続補正書】
【提出日】平成24年10月3日(2012.10.3)
【手続補正１】
【補正対象書類名】明細書
【補正対象項目名】０００８
【補正方法】変更
【補正の内容】
【０００８】以下添付図に従って一実施例を説明する。１耐久性のプラスチック等適宜素材にて、一体成形されたトイレ本体。２は貯水部分に水道管を取り付けたところ、３は排水のホース部分に排水管を接続したところ。５は、あらかじめ敷設しておいた水道管６はあらかじめ敷設しておいた、排水管。
【手続補正書】
【提出日】平成24年10月3日(2012.10.3)
【手続補正１】
【補正対象書類名】図面
【補正対象項目名】全図
【補正方法】変更
【補正の内容】
【図１】
0003183037.tif 000004
【図２】
0003183037.tif 000005
【手続補正書】
【提出日】平成24年10月11日(2012.10.11)
【手続補正１】
【補正対象書類名】実用新案登録請求の範囲
【補正対象項目名】請求項１
【補正方法】変更
【補正の内容】
【請求項１】
水洗式ポータブルトイレを置きたい場所まで水道管を敷設し、排水管を含む排水設備工事をした上で従来のポータブル式トイレに、水道管に接続する部分と排水管に接続する部分を設け、洗濯機のように簡単に水道管と排水管に接続できる器具を付属させることを特徴とする水洗式ポータブル式トイレ
【手続補正書】
【提出日】平成25年1月31日(2013.1.31)
【手続補正１】
【補正対象書類名】実用新案登録請求の範囲
【補正対象項目名】全文
【補正方法】変更
【補正の内容】
【実用新案登録請求の範囲】
【請求項１】
トイレ本体と、前記トイレ本体に取り付けられた貯水槽とを備え、前記トイレ本体には配水管につなぐホースの部分を設け、前記貯水槽には水道管につなぐ部分を設けたことを特徴とする水洗式ポータブルトイレ。
(57)【要約】      （修正有）【課題】新しい装飾及び玩具性を備えたうちわを提供する。【解決手段】うちわの表面に動植物や、企業のキャラクター及び任意の模様を印刷して、ミシン目を施す。そのままで扇いでも、うちわの機能を果たす。さらにミシン目に沿ってくり抜けば、キャラクターなどは扇ぐ風圧で立体的に飛び出してくることで、今までになかった楽しい子供玩具うちわとしても、宣伝用うちわの提供も出来る。【選択図】図１
0003183058.tif 000002
【実用新案登録請求の範囲】
【請求項１】
うちわ（１）において、必要な模様（２）を印刷した後、任意の型に切り抜いて穴をあけるためのミシン目（３）を設けたことを特徴とする構造のうちわ。
【考案の詳細な説明】
【技術分野】
【０００１】  本考案は、１ケ所をうちわ本体に残して、それぞれ特定の形を抜き型で抜いた構造を特徴とする。本考案によると、熊の顔の形、あるいは蝶の形、キャラクターの形の抜き型とすると扇ぐたびに風圧で揺れることになる。よって動物が空間で揺れることにより、特に幼児にとっては楽しめるうちわを提供する。よって、うちわに新しい装飾及び玩具性を備えたうちわの構造に係る。
【背景技術】
【０００２】  本考案はこれまでに無かったうちわ中央の一ケ所を本体と繋げたまま残して、動物、花びら、キャラクターの形にくり抜く。模様に合わせて印刷を施す。よって本考案のうちわは手動による本来のうちわとしての送風機能も兼ね備えたまま、且つうちわ業界の新ファッション性うちわとして購買意欲の喚起につながる。
【考案の概要】
【考案が解決しようとする課題】
【０００３】  例えば、装着する物体の形状は企業のキャラクターから玩具までのデザインを用いる。
【課題を解決するための手段】
【０００４】  うちわにキャラクター等の印刷を施し、切り落としのためのミシン目を施す。
ミシン目は親指など、又はカッターで切り落としても良く、切り落とさないでの使用も出来る。なお、当該物体の材質は厚紙、プラステイック、塩化ビニールなど、うちわとしての活用方法は硬軟で、消費者の好みでより選択の余地も広がる。
【考案の効果】
【０００５】  また、本考案はうちわの効果、及び特徴は多彩な模様の印刷を施して、且つ多彩な形のキャラクターが、扇ぐ風圧によって動いたり踊ったりする。
【考案を実施するための形態】
【０００６】  以下、本考案の必要部分に備わったベロについて説明する。
【０００７】  図１は本考案の実施例を示すものであり、うちわのベロの一方は一体としてうちわ本体と繋がり、ベロにキャラクターや、企業のロゴを印刷して備えたうちわ。
【図面の簡単な説明】
【０００８】
【図１】うちわにミシン目を施した状態の完成予想図である。
【符号の説明】
【０００９】１・・・うちわ
２・・・うちわに施したミシン目
３・・・うちわに印刷した子熊の顔。
【図１】
0003183058.tif 000003
(57)【要約】      （修正有）【課題】靴の靴面に縫われる図柄が、容易に脱落する問題を解消できる靴面構造を提供する。【解決手段】上記の靴面構造は、少なくとも一つの図柄２、３、４を、一層の布材１の一面に織込み、また、各図柄２、３、４を、布材にての配列や組立てにより、異なる視覚効果を有する靴面外観が得られる。上記図柄２、３、４は、意匠図柄であってもよいし、符号や文字でもよい。また、上記一層の布材１に、複数の靴紐を貫設するための貫通孔５が設けられてある。上記図柄２、３、４を織込む織糸は、上記一層の布材１の織糸と同じでもよく、異なってもよい。【選択図】図２
0003183053.tif 000002
【実用新案登録請求の範囲】
【請求項１】
少なくとも一つの図柄を、一層の布材の一面に、織り込み、布材と、布材に配列され、組立てられた図柄とからなる靴面外観を有する
ことを特徴とする靴の靴面構造。
【請求項２】
前記図柄が、意匠図柄や符号及び文字の何れかの一つであることを特徴とする請求項1に記載される靴の靴面構造。
【請求項３】
前記一層の布材に、複数の靴紐を貫設するための貫通孔が設けられることを特徴とする請求項1に記載される靴の靴面構造。
【請求項４】
前記図柄を織込む織糸が、前記一層の布材の織糸と同一であることを特徴とする請求項1に記載される靴の靴面構造。
【請求項５】
前記図柄を織込む織糸が、前記一層の布材の織糸と異なることを特徴とする請求項1に記載される靴の靴面構造。
【考案の詳細な説明】
【技術分野】
【０００１】
本考案は、靴面構造に関するものであり、さらに詳しくは、織込みの靴面構造に関するものである。
【背景技術】
【０００２】
図1は、従来の靴面構造の外観図であり、市販の靴は、スポーツシューズやレージャシューズに対して、各メーカは、靴の美観とファッション性を向上させるため、靴の靴面１ａに、異なる様式の図柄２ａ、３ａ、４ａを縫い、または接着により、異なる様式の図柄やその配列と組立てにより、異なる視覚効果が表され、これにより、販売の促進を図られている。
【０００３】
しかし、従来の、異なる様式の図柄を、靴面に縫うことは、時間や人力が必要とされ、また、縫うことにより、靴面に組立てられる図柄が、外力によって、脱落しやすく、そして、靴面全体の外観を維持することが、容易ではない。
【０００４】
また、図柄の接着によっても図柄の脱落が生じやすく、前記の事情には変りがない。特に靴は歩行等の激しい動作の影響を受けるので、図柄の脱落は不可避なものである。
【０００５】
かかる事情のもので、外力による図柄の脱落の防止可能な図柄の固定手段の提案が切望されてきた。
【０００６】
実用新案登録第３１２３５８５号公報（以下、「特許文献１」という。）には、靴面を任意に靴底と組合せて多種の履き型を増やす靴の靴面交換可能構造が記載されている。しかし、特許文献１には靴面の交換については記載されているが、靴面への図柄等の固定技術については開示されていない。
【特許文献１】実用新案登録第３１２３５８５号公報
【考案の概要】
【考案が解決しようとする課題】
【０００７】
従って、本考案の課題は、従来の靴の靴面に縫われる図柄が、容易に脱落する問題を解消できる靴面構造を提供することにある。
【課題を解決するための手段】
【０００８】
そこで、本考案者は、前記の本考案の課題を解決するため鋭意検討を重ねた結果、靴面を構成する一層の布材に図柄等を織り込むことにより、前記課題を解決できることに着目し、本考案に想到した。
【０００９】
かくして、請求項１の考案によれば、少なくとも一つの図柄を、一層の布材の一面に、織り込み、布材と、布材に配列され、組立てられた図柄とからなる靴面外観を有することを特徴とする靴の靴面構造が提供される。
【００１０】
請求項２の考案によれば、前記図柄が、意匠図柄や符号及び文字の何れかの一つであることを特徴とする請求項1に記載される靴の靴面構造が提供される。
【００１１】
請求項３の考案によれば、前記一層の布材に、複数の靴紐を貫設するための貫通孔が設けられることを特徴とする請求項1に記載される靴の靴面構造が提供される。
【００１２】
請求項４の考案によれば、上前記図柄を織込む織糸が、前記一層の布材の織糸と同一であることを特徴とする請求項1に記載される靴の靴面構造が提供される。
【００１３】
請求項５の考案によれば、前記図柄を織込む織糸が、前記一層の布材の織糸と異なることを特徴とする請求項1に記載される靴の靴面構造が提供される。
【００１４】
本考案によれば、布材に織糸を用いて図柄を織り込むものであり、織糸の材質その他の性質が布材の織糸と同一でもよく、異なるものでもよい。織込みの方法については、通常、採用される方法でよい。
【考案の効果】
【００１５】
本考案は、前記の通りの構成からなり、靴面に設けた図柄の脱落を防止することができ、また、各種の図柄の配置により美感を起こさせる意匠的効果を奏することができる。
【００１６】
以下、図面を参照しながら、本考案の特徴や技術内容について、詳しく説明する。もっとも、それらの図面等は、参考や説明のためのものであり、本考案は、それらによって限定されるものではない。
【考案を実施するための最良の形態】
【００１７】
図2と図3のように、本考案に係る靴面構造１００の特徴は、少なくとも一つの図柄２、３、４を、一層の布材１の一面に織込み、また、各図柄２、３、４を、布材にての配列や組立てにより、異なる視覚効果を有する靴面外観が得られる。
【００１８】
本考案のよりよい実施例によれば、上記図柄２、３、４は、意匠図柄であってもよいし、符号や文字でもよいが、それによって制限されることがない。また、上記一層の布材１に、複数の靴紐を貫設するための貫通孔５が設けられてある。上記図柄２、３、４を織込む織糸は、上記一層の布材１の織糸と同じでもよく、異なってもよいが、限定されるものではない。
【００１９】
本考案の設計によれば、上記図柄２、３、４が、上記一層の布材１に織込まれるため、脱落する恐れがない。また、形成された靴面の材質が、軽薄化され、また、製作が簡単になるという利点もある。
【００２０】
以上は、本考案のより良い実施例であり、本考案は、それによって限定されるものではなく、本考案に係わる実用新案登録請求の範囲や明細書の内容に基づいて行った等価の変更や修正は、全てが、本考案の範囲内に含まれる。
【図面の簡単な説明】
【００２１】
【図１】従来の靴面構造の外観図である。
【図２】本考案の一実施形態による靴の靴面構造の外観図である。
【図３】本考案の一実施形態による靴の靴面構造の使用概念図である。
【符号の説明】
【００２２】
１  布材
１ａ  靴面
１００  靴面構造
２、３、４  図柄
２ａ、３ａ、４ａ  図柄
【図１】
0003183053.tif 000003
【図２】
0003183053.tif 000004
【図３】
0003183053.tif 000005
(57)【要約】      （修正有）【課題】簡単に出し入れでき、中に収めたものの確認が容易にでき、１枚の紙で作るミニ封筒を提供する。【解決手段】ハガキ大の大きさの１枚の紙を用いたミニ封筒であり、ハガキ大の大きさの紙を縦位置の状態で長辺の下部をおおよそ１ｃｍ内側に折り曲げて、その両端を糊付けしポケット部を形成する。ポケット部を設けた前記紙を、さらに長辺の中央部から上部におおよそ５ｍｍずらして内側に二つ折にし、ポケット部の上カバー部を形成する。前記上カバー部を開きやすくするため、上カバー部のどちらかの隅を三角形に切り取る、構成とする。【選択図】図１
0003183060.tif 000002
【実用新案登録請求の範囲】
【請求項１】
ハガキ大の大きさの１枚の紙を用いたミニ封筒であり、
（１）ハガキ大の大きさの紙を縦位置の状態で長辺の下部をおおよそ１ｃｍ内側に折り曲げて、その両端を糊付けしポケット部を形成する。
（２）（１）のポケット部を設けた紙を、さらに長辺の中央部から上部におおよそ５ｍｍずらして内側に二つ折にし、ポケット部の上カバー部を形成する。
（３）（２）の上カバー部を開きやすくするため、上カバー部のどちらかの隅を三角形に切り取る。
以上の構成からなる、出し入れがしやすく、収めたものの確認が容易にできることを特徴とするミニ封筒。
【考案の詳細な説明】
【技術分野】
【０００１】  この考案は、ハガキ大の大きさの１枚の紙を折り曲げて作る、メッセージカード等の出し入れが簡単でしかも中に入れたものを容易にみることができるミニ封筒に関するものである。
【背景技術】
【０００２】  従来、メッセージカード等を入れる封筒は、郵便用の定型封筒を小型化したものしかなかった。このため、メッセージカード等を封筒に入れるのに時間がかかり、また、封筒に一旦入れるとそれを見たり確認するためには取り出さなければならなかった。
また、封筒自体の値段も高く容易に封筒を使うことができず、気軽に封筒入りメッセージカードを利用することはできなかった。【０００３】  このようなことから、気軽に安く使えるミニ封筒の出現が望まれていた。【０００４】  最近、文具店等で多くのミニ封筒が売られているが値段も高く，誰でもが気軽に使えるものではない。
【考案が解決しようとする課題】
【０００５】  これらは、次のような問題点があった。
（１）メッセージカード等を気軽に入れられるミニ封筒がなかった。
（２）市販のミニ封筒はサイズやデザインがほぼ一定で、任意のメッセージカード等を入れることができるミニ封筒は見当たらなかった。このため無味乾燥で相手に与える印象も薄かった。
（３）市販のミニ封筒は値段が高く安いものが望まれていた。
本考案は、以上のような欠点を無くし、誰でもが気軽に安価にミニ封筒を使用できるようにしたものである。
【課題を解決するための手段】
【０００６】  （１）ハガキ大の大きさの１枚の紙の短辺を内側に少し折り曲げて両端を糊付けしポケット部を形成する。さらに全体を二つ折りにし上部カバー部を形成する。
（２）このような簡単な作り方でメッセージカード等を収容できるミニ封筒ができあがる。
【考案を実施するための最良の形態】
【０００７】  以下、本考案を実施するための最良の形態について説明する。
（１）ハガキ大の大きさの１枚の紙の短辺を下部からおおよそ１ｃｍの幅を持って内側に折り曲げ両端を糊付けしてポケット部を形成する。
（２）（１）のポケットの付いた紙の長辺を中央から上におおよそ５ｍｍずらして二つ折りにし上部カバー部とする。
（３）（２）の上カバー部を開きやすくするため上カバー部のどちらかの隅を三角形に切り取る。
（４）こうしてできたミニ封筒の利用者は上カバー部を開きポケット部にメッセージカード等を収容することができる。
【事業の効果】
【０００８】  多様化する日常生活の中でメッセージカード等を利用する人が増えており、このような人たちが気軽に使える安価なミニ封筒を提供することによりメッセージカード等を利用する人がさらに増えると思われる。
【０００９】  ミニ封筒を利用する人はメッセージカード等を簡単に出し入れすることができ、さらに中に入れたものを容易に確認することができる。
このような安価な便利なミニ封筒は、ミニ封筒自体の愛用者が増えることが期待できる。
【００１０】  さらに、このミニ封筒の応用例としては、
（１）サイズを変えることで多種多様なニーズにこたえることができる。
（２）横位置のミニ封筒だけでなく縦位置のミニ封筒もできる。この場合ポケット部をできる限り深くとる。
（３）上カバーの片隅を三角形にカットすることで開きやすくなる。
（４）上カバー部を省いたポケット部だけのミニ封筒もある。この場合作成時においてポケット部だけを作るため１枚の紙の下部を適当な幅で二つ折りにし両端を糊付けする。
（５）ポケット部を別色の紙で作ることにより、よりきれいなミニ封筒ができる。この場合ポケット部の底を形成するためポケット部の紙の３辺に糊しろをとり台紙の下部に貼り付ける。
【図面の簡単な説明】
【００１１】
【図１】  本考案のミニ封筒の正面図である。
【図２】  本考案のミニ封筒の展開図である。
【符号の説明】
【００１２】
【図１】
0003183060.tif 000003
【図２】
0003183060.tif 000004
(57)【要約】      （修正有）【課題】ゴミをチリトリに掃き入れる動作と、チリトリからゴミ袋に入れる動作を何度も繰り返すことなく、ゴミの収集をチリトリへの掃き入れからゴミ袋への収納までを一作業で可能とするチリトリを提供する。【解決手段】チリトリ本体１の、掃き止め部をなくす。取っ手４の上部左右二箇所にゴミ袋止め具５を設置する。ゴミ袋の開口部に掃き入れ口を手前にしてチリトリを入れる。ゴミ袋開口部の上部先端をチリトリの取っ手上部左右の止め具で止める。ゴミ袋開口部の下部はチリトリの底の下になり固定される。箒などで、ゴミをゴミ袋の中に設置されたチリトリに掃き入れる。掃き入れられたゴミはチリトリを通過してゴミ袋の中に収納される。【選択図】図１
0003183140.tif 000002
【実用新案登録請求の範囲】
【請求項１】
掃き止め部をなくし、同一方向での掃き入れ、掃き出しができることを特徴とするチリトリ。
【請求項２】
取っ手に、ゴミ袋の口止め具を設けたことを特徴とする請求項１記載のチリトリ。
【考案の詳細な説明】
【技術分野】
【０００１】  この実用新案は、ゴミ類の収集等に使用するチリトリの形状に関する。
【背景技術】
【０００２】  従来のチリトリの形状は、図２に示すように、チリトリ本体１の掃き入れ口２とチリトリのゴミを排出する箇所が同一箇所である。
【考案の概要】
【考案が解決しようとする課題】
【０００３】  しかしながら、以上の技術によれば、大量の枝葉や粉塵などをチリトリに掃き集めゴミ袋に入れようとすると、掃き止め部３を手で支える必要もでてくる。また、ゴミ袋の口が柔らかいため、ゴミをチリトリからゴミ袋に移動する際、ゴミ袋の外にゴミがこぼれることも多い。
さらに、ゴミをチリトリに掃き入れる動作と、チリトリからゴミ袋に入れる動作を何度も繰り返さなければならない。
そこで、この考案は、ゴミの収集を、チリトリへの掃き入れからゴミ袋への収納までを一作業で可能とするチリトリを提供することを課題とする。
【課題を解決するための手段】
【０００４】  以上の課題を解決するために、第一考案は、掃き止め部をなくし、排出口にしたことを特徴とするチリトリである。
また、第二考案は、取っ手にゴミ袋止め具を設置したことを特徴とするチリトリである。
【考案の効果】
【０００５】  第一考案によれば、チリトリの掃き入れ口と排出部が同一方向になり、ゴミの、チリトリへの掃き入れからゴミ袋への収納までを一作業の流れの中でできる。
また、第二考案によれば、チリトリの取っ手に設置した止め具にゴミ袋の口を固定させることにより、掃き入れられたゴミが、ゴミ袋の中に置かれたチリトリを通してそのままゴミ袋の中に収納できる。
【図面の簡単な説明】
【０００６】
【図１】この考案の一実施形態を示す斜視図である。
【図２】従来技術を示す斜視図である。
【考案を実施するための形態】
【０００７】  この考案の一実施形態を図１に示す。
チリトリ本体１の、従来の掃き止め部３をなくす。取っ手４の上部左右二箇所にゴミ袋止め具５を設置する。
【実施例】
【０００８】  ゴミ袋の開口部に掃き入れ口を手前にしてチリトリを入れる。ゴミ袋開口部の上部先端をチリトリの取っ手上部左右の止め具で止める。ゴミ袋開口部の下部はチリトリの底の下になり固定される。箒などで、ゴミをゴミ袋の中に設置されたチリトリに掃き入れる。掃き入れられたゴミはチリトリを通過してゴミ袋の中に収納される。
【符号の説明】
【０００９】  １  チリトリ本体      ２  掃き入れ口      ３  掃き止め部      ４  取っ手
５  ゴミ袋止め具
【図１】
0003183140.tif 000003
【図２】
0003183140.tif 000004
【手続補正書】
【提出日】平成25年2月4日(2013.2.4)
【手続補正１】
【補正対象書類名】実用新案登録請求の範囲
【補正対象項目名】全文
【補正方法】変更
【補正の内容】
【実用新案登録請求の範囲】
【請求項１】
矩形状の底板と、前記矩形状の底板における対向する２辺に設けられた一対の側板とから構成されるチリトリ本体と、前記一対の側板間に懸架される取っ手とからなり、前記矩形状の底板における前記一対の側板が設けられた２辺とは別の２辺には、何も設けられていないことを特徴とするチリトリ。
【請求項２】
取っ手に、ゴミ袋の口止め具を設けたことを特徴とする請求項１記載のチリトリ。
(57)【要約】      （修正有）【課題】片目でも容易に汚れ落としができる洗たくブラシ付きバケツを提供する。【解決手段】バケツ１の上部に洗たく用ブラシ２を取り付けるあたりのプラスチックを厚めにして、洗たく用ブラシを挿し込み、接着させたものである。これにより、バケツに水又は、お湯を入れるとバケツが固定され、洗たく用ブラシも固定されるので、容易に片手で、がんこな汚れ落としができるのである。【選択図】図１
0003183141.tif 000002
【実用新案登録請求の範囲】
【請求項１】
バケツ上部に洗たく用ブラシを取り付けた洗たくブラシ付きバケツ
【考案の詳細な説明】
【考案の詳細な説明】
この考案は、バケツ上部に洗たく用ブラシを取り付けたものである。  従来、洗たく機では、落ちないがんこな汚れを落とす時は、手洗いで、手もみ洗いや洗たくブラシや洗たく板などを使い両手で洗っていたのですが、片手が、痛いとか、赤ちゃんをおぶっていて片手が、ふさがっているなど、いろんな理由で、片手で、がんこな衣服の汚れを落としたい時は、それが、できにくかった。本考案は、その欠点を除くためになされたもので、水を入れたバケツに洗たく用ブラシが固定され、容易に、片手で、がんこな汚れ落としが、できるのである。  それを図面について説明すれば、バケツ１の上部、洗たく用ブラシを取りつけるあたりのプラスチックを厚めにして、洗たく用ブラシを挿し込み、接着させたものである。
【図面の簡単な説明】
【図１】図面は、本案の斜視図である。１は、バケツ２は、洗たく用ブラシ
【図１】
0003183141.tif 000003